(57)【特許請求の範囲】
【請求項１】
第一の生体試料と第二の生体試料とが配置される電気化学測定プレートと、
前記電気化学測定プレートに接続された電気化学測定装置と、
を備え、
前記電気化学測定プレートは、
前記第一の生体試料が配置される第一の載置部が設けられた第一のウェルと、
前記第一のウェル内において前記第一の載置部の周囲に設けられたＮ個（Ｎは２以上の整数）の第一の測定電極を含む第一の測定電極群と、
前記第二の生体試料が配置される第二の載置部が設けられた第二のウェルと、
前記第二のウェル内において前記第二の載置部の周囲に設けられたＮ個の第二の測定電極を含む第二の測定電極群と、
を有し、
前記電気化学測定装置は、
Ｎ個の計測回路と、
前記Ｎ個の計測回路を前記第一の測定電極群と前記第二の測定電極群とに選択的に切り替えて接続する切替部と、
前記Ｎ個の第一の測定電極に印加される電位と前記Ｎ個の第二の測定電極に印加する電位とを制御する制御部と、
を有する、電気化学測定システム。
【請求項２】
前記Ｎ個の第一の測定電極のうちの或る第一の測定電極と第一の載置部との間の第一の距離は、前記Ｎ個の第一の測定電極のうちの他の第一の測定電極と第一の載置部との間の第二の距離よりも小さく、
前記Ｎ個の第二の測定電極のうちの或る第二の測定電極と第二の載置部との間の第三の距離は、前記Ｎ個の第二の測定電極のうちの他の第二の測定電極と第二の載置部との間の第四の距離よりも小さく、
前記第一の距離は前記第三の距離と等しく、
前記第二の距離は前記第四の距離と等しく、
前記切替部は、
前記Ｎ個の計測回路のうちの第一の計測回路を、前記或る第一の測定電極と前記或る第
二の測定電極とに選択的に切り替えて接続する第一の切替ユニットと、
前記Ｎ個の計測回路のうちの第二の計測回路を、前記他の第一の測定電極と前記他の第二の測定電極とに選択的に切り替えて接続する第二の切替ユニットと、
を有する、請求項１に記載の電気化学測定システム。
【請求項３】
前記電気化学測定プレートは対極をさらに有し、
前記電気化学測定装置は前記対極と前記制御部との間に接続されてかつ前記切替部に接続されていない配線をさらに有する、請求項２に記載の電気化学測定システム。
【請求項４】
前記電気化学測定プレートは、
前記第一のウェルに設けられた第一の対極と、
前記第二のウェルに設けられた第二の対極と、
をさらに有し、
前記切替部は、前記制御部を前記第一の対極と前記第二の対極とに選択的に切り替えて接続する第三の切替ユニットをさらに有する、請求項２に記載の電気化学測定システム。
【請求項５】
第一の生体試料と第二の生体試料とが配置される電気化学測定プレートと共に用いられる電気化学測定装置であって、
Ｎ個（Ｎは、２以上の整数）の第一の接続端子を含む第一の電極群と、
Ｎ個の第二の接続端子を含む第二の電極群と、
Ｎ個の計測回路と、
Ｎ個の計測回路を前記第一の電極群と前記第二の電極群とに選択的に切り換えて接続する切替部と、
制御部と、
を備え、
前記電気化学測定プレートは、
前記第一の生体試料が配置される第一の載置部と、
前記第一のウェル内に設けられるとともに、前記第一の載置部の周囲に設けられたＮ個の第一の測定電極と、
前記第二の生体試料が配置される第二の載置部と、
前記第二のウェル内に設けられるとともに、前記第二の載置部の周囲に設けられたＮ個の第二の測定電極と、
を有し、
前記Ｎ個の第一の接続端子は前記Ｎ個の第一の測定電極にそれぞれ接続されるように構成されており、
前記Ｎ個の第二の接続端子は前記Ｎ個の第二の測定電極にそれぞれ接続されるように構成されており、
前記制御部は、前記Ｎ個の第一の測定電極に印加する電位と前記Ｎ個の第二の測定電極に印加する電位とを制御するように構成されている、電気化学測定装置。
【請求項６】
前記Ｎ個の第一の測定電極のうちの或る第一の測定電極と第一の載置部との間の第一の距離は、前記Ｎ個の第一の測定電極のうちの他の第一の測定電極と第一の載置部との間の第二の距離よりも小さく、
前記Ｎ個の第二の測定電極のうちの或る第二の測定電極と第二の載置部との間の第三の距離は、前記Ｎ個の第二の測定電極のうちの他の第二の測定電極と第二の載置部との間の第四の距離よりも小さく、
前記第一の距離と前記第三の距離とは等しく、
前記第二の距離と前記第四の距離とは等しく、
前記切替部は、
前記Ｎ個の計測回路のうちの第一の計測回路を、前記或る第一の測定電極と前記或る第
二の測定電極とに選択的に切り替えて接続する第一の切替ユニットと、
前記Ｎ個の計測回路のうちの第二の計測回路を、前記他の第一の測定電極と前記他の第二の測定電極とに選択的に切り替えて接続する第二の切替ユニットと、
を有する、請求項５に記載の電気化学測定装置。
【請求項７】
第三の接続端子と、
前記第三の接続端子と前記制御部とを接続しかつ前記切替部に接続されない配線と、
をさらに備え、
前記電気化学測定プレートは前記第三の接続端子に接続される対極をさらに有する、請求項６に記載の電気化学測定装置。
【請求項８】
前記電気化学測定プレートは、
前記第一の載置部の周囲に設けられた第一の対極と、
前記第二の載置部の周囲に設けられた第二の対極と、
をさらに有し、
前記第一の電極群は前記第一の対極に接続される第五の接続端子をさらに含み、
前記第二の電極群は前記第二の対極に接続される第六の接続端子をさらに含み、
前記切替部は、前記制御部を前記第五の接続端子と前記第六の接続端子とに選択的に切り替えて接続する第三の切替ユニットをさらに有する、請求項６に記載の電気化学測定装置。
【請求項９】
第一の載置部が設けられた第一のウェルと、
前記第一のウェル内において前記第一の載置部の周囲に設けられたＮ個（Ｎは２以上の整数）の第一の測定電極を含む第一の測定電極群と、
第二の載置部が設けられた第二のウェルと、
前記第二のウェル内において前記第二の載置部の周囲に設けられたＮ個の第二の測定電極を含む第二の測定電極群と、
対極と、
を備えた電気化学測定プレートを準備するステップと、
Ｎ個の計測回路を備えた電気化学測定装置を準備するステップと、
第一の生体試料と第二の生体試料と測定液とを、前記第一の載置部に第一の生体試料が配置されて前記第二の載置部に第二の生体試料が配置されてかつ前記測定液が前記対極と前記第一の測定電極群と前記第二の測定電極群とに接触するように、前記電気化学測定プレートに収容するステップと、
前記Ｎ個の計測回路が前記Ｎ個の第一の測定電極にそれぞれ接続された状態で、前記対極に測定電位を印加して、前記Ｎ個の第一の測定電極における電流値を測定するステップと、
前記Ｎ個の第一の測定電極における前記電流値を測定する前記ステップの後で、前記Ｎ個の計測回路が前記Ｎ個の第一の測定電極から断たれて前記Ｎ個の第二の測定電極にそれぞれ接続されるように前記Ｎ個の計測回路を前記第一の測定電極群から前記第二の測定電極群へ切り替えるステップと、
前記Ｎ個の計測回路が前記Ｎ個の第二の測定電極と接続された状態で、前記対極に前記測定電位を印加して前記Ｎ個の第二の測定電極における電流値を測定するステップと、
を含む、電気化学測定方法。
【請求項１０】
前記Ｎ個の計測回路を前記第一の測定電極群から前記第二の測定電極群へ切り替える前記ステップは、前記Ｎ個の第一の測定電極における前記電流値を測定する前記ステップの後で、前記対極に非測定電位が印加された状態で前記Ｎ個の計測回路が前記Ｎ個の第一の測定電極から断たれて前記Ｎ個の第二の測定電極にそれぞれ接続されるように前記Ｎ個の計測回路を前記第一の測定電極群から前記第二の測定電極群へ切り替えるステップを含む、
請求項９に記載の電気化学測定方法。
【請求項１１】
前記非測定電位は前記Ｎ個の第一の測定電極と前記Ｎ個の第二の測定電極とに電流が流れないように設定されている、請求項１０に記載の電気化学測定方法。
【発明の詳細な説明】
【技術分野】
【０００１】
本開示は、受精卵等の細胞や組織などの生体試料の検査、解析に用いられる電気化学測定装置および電気化学測定方法に関する。
【背景技術】
【０００２】
受精した胚等の細胞や組織などの生体試料は、その内部と外部との間で様々な物質を輸送して活動を行っている。例えば、胚は、周辺の酸素を呼吸によって細胞内部に取り込み、取り込んだ酸素を消費しながら卵胞内部で分割を行っている。そのため、胚の周囲の溶存酸素量を測定することにより、胚の成長具合を検査することができる。このような生体試料の状態を測定する手段として、生体由来物の周辺で生じる物理化学的な状態変化を電気的に測定する方法が知られている。【０００３】
胚を検査する従来の測定システムは、測定プレートおよび測定装置を含む。測定プレートは、複数のウェルを有する。それぞれのウェルの内部には、胚を収容する収容部と、収容部の周囲に設けられる複数の電極とを有する。測定装置は、ウェル内に設けられる複数の電極と電気的に接続されている。測定装置は、複数の電極を用いて胚の周囲の溶存酸素を電気化学的に測定する。【０００４】
尚、本開示に関連する先行技術文献としては、例えば、特許文献１が知られている。
【先行技術文献】
【特許文献】
【０００５】
【特許文献１】国際公開第２０１０／０５５９４２号
【発明の概要】
【０００６】
本開示の電気化学測定システムは、第一と第二の生体試料が配置される電気化学測定プレートと、電気化学測定プレートに接続された電気化学測定装置とを備える。電気化学測定プレートは、第一の生体試料が配置される第一のウェルと、第一のウェル内に設けられた複数の第一の測定電極を含む第一の測定電極群と、第二の生体試料が配置される第二のウェルと、第二のウェル内に設けられた複数の第二の測定電極を含む第二の測定電極群とを有する。電気化学測定装置は、複数の計測回路と、複数の計測回路を第一の測定電極群と第二の測定電極群とに選択的に切り替えて接続する切替部と、複数の第一と第二の測定電極に印加する電位を制御する制御部とを有する。
【０００７】
この電気化学測定システムは小型にすることができる。
【図面の簡単な説明】
【０００８】
【図１】図１は実施の形態における電気化学測定システムの概略図である。
【図２】図２は実施の形態における電気化学測定システムの電気化学測定プレートの斜視図である。
【図３Ａ】図３Ａは実施の形態における電気化学測定プレートの上面図である。
【図３Ｂ】図３Ｂは実施の形態における他の電気化学測定プレートの上面図である。
【図４】図４は実施の形態における電気化学測定装置の回路図である。
【図５】図５は実施の形態における電気化学測定方法を示すフロー図である。
【図６】図６は実施の形態における電気化学測定方法を示すフロー図である。
【図７】図７は実施の形態における電気化学測定システムの動作での電圧を示す図である。
【図８】図８は実施の形態における電気化学測定システムの他の動作での電圧を示す図である。
【図９Ａ】図９Ａは実施の形態におけるさらに他の電気化学測定プレートの上面図である。
【図９Ｂ】図９Ｂは実施の形態における他の電気化学測定装置の回路図である。
【図９Ｃ】図９Ｃは実施の形態におけるさらに他の電気化学測定プレートの上面図である。
【図１０】図１０は実施の形態におけるさらに他の電気化学測定装置の回路図である。
【発明を実施するための形態】
【０００９】
従来の測定システムにおいて、測定プレートは複数のウェルを有する。また、それぞれのウェルは、複数の測定電極を有する。そのため、従来の測定システムは、全ての測定電極で電気化学測定を行うために、測定電極と同じ数の計測回路を有する必要がある。しかしながら、測定電極と同じ数の計測回路を備える測定装置は、装置自体が大型になる。
【００１０】
一方で、従来の測定システムにおいて、１つの計測回路を順次切り替えることにより、複数の測定電極における電気化学測定を行うことが可能である。しかしながら、１つの計測回路を切り替えて測定する場合は、全ての測定電極の測定に長時間を要する。
【００１１】
以下では、本開示の実施の形態に係る電気化学測定システム及び電気測定方法について、図面を用いて詳細に説明する。なお、以下に説明する実施の形態は、いずれも本開示の好ましい一具体例を示すものである。したがって、以下の実施の形態で示される数値、形状、材料、構成要素、構成要素の配置及び接続形態などは、一例であり、本開示を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。各図において、実質的に同一の構造については同一の符号を付しており、重複する説明は省略または簡略化している。
【００１３】
図１は、生体試料の電気化学測定を行う実施の形態における電気化学測定システム１０の概略図である。電気化学測定システム１０は、電気化学測定プレート２０と電気化学測定装置５０とからなる。電気化学測定システム１０は、例えば、一塊の生体試料の測定に用いられる。一塊の生体試料とは、例えば、胚などの細胞塊である。細胞塊は、一細胞であっても、多細胞の集合体であってもよい。なお、胚は、分裂前の受精卵を含む。
【００１４】
図２は電気化学測定プレート２０を模式的に示す斜視図である。電気化学測定プレート２０は、測定液や培地等の液体が入れられる貯留部２９と、貯留部２９の底面２９ａに設けられた複数のウェル２１、２４とを有する。具体的には、電気化学測定プレート２０は基板５２０を有する。貯留部２９は基板５２０の上面５２０ａに設けられている。貯留部２９には、複数の生体試料１０２（１０２１〜１０２５）と、導電性を有する測定液１００１とが収容される。
【００１５】
測定液１００１は貯留部２９とウェル２１に充填され、生体試料１０２１〜１０２５がウェル２１１〜２１５にそれぞれ配置される。電気化学測定プレート２０は、複数の生体試料１０２が配置される複数のウェル２１を備えることにより、複数の生体試料１０２を一度に測定することができる。
【００１６】
図２に示す電気化学測定プレート２０は、生体試料が配置される５つのウェル２１（２１１、２１２、２１３、２１４、２１５）を有する。電気化学測定プレート２０は、生体試料が配置されないウェル２４をさらに有する。電気化学測定プレート２０は、生体試料が配置されないウェル２４をさらに有する。ウェル２４、２１（２１１、２１２、２１３、２１４、２１５）は、底面２４ａ、２１ａ（２１１ａ、２１２ａ、２１３ａ、２１４ａ、２１５ａ）と、側壁面２４ｂ、２１ｂ（２１１ｂ、２１２ｂ、２１３ｂ、２１４ｂ、２１５ｂ）を有する。側壁面２４ｂ、２１ｂ（２１１ｂ、２１２ｂ、２１３ｂ、２１４ｂ、２１５ｂ）は、貯留部２９の底面２９ａと底面２４ａ、２１ａ（２１１ａ、２１２ａ、２１３ａ、２１４ａ、２１５ａ）とにそれぞれ繋がっている。
【００１７】
図３Ａは電気化学測定プレート２０のウェル２１、２４の一部を拡大して示す上面図である。ウェル２１１は、ウェル２１１の底面の中心部に設けられた載置部２２１を有する。載置部２２１は生体試料が載置されるように構成されている。同様に、ウェル２１２は、ウェル２１２の底面の中心部に設けられた載置部２２２を有する。載置部２２２は生体試料が載置されるように構成されている。このように、複数のウェル２１のそれぞれは、生体試料を載置する載置部２２を備える。なお、載置部２２は、ウェル２１の底面に設けられる凹部や載置場所を示す目印などである。
【００１８】
電気化学測定プレート２０は、ウェル２１内の載置部２２の周囲に設けられた複数の測定電極２３を備える。
【００１９】
例えば、ウェル２１１は、ウェル２１１内において載置部２２１の周囲に設けられた６つの測定電極２３１１、２３１２、２３１３、２３１４、２３１５、２３１６を有する。載置部２２１と測定電極２３１１、２３１２、２３１３、２３１４、２３１５、２３１６とはそれぞれ距離ｄ１１、ｄ１２、ｄ１３、ｄ１４、ｄ１５、ｄ１６だけ離れている。載置部２２１と測定電極２３１１との間の距離ｄ１１は、載置部２２１と測定電極２３１２との間の距離ｄ１２より小さい。距離ｄ１２は、載置部２２１と測定電極２３１３との間の距離ｄ１３より小さい。距離ｄ１３は、載置部２２１と測定電極２３１４との間の距離ｄ１４より小さい。距離ｄ１４は、載置部２２１と測定電極２３１５との間の距離ｄ１５より小さい。距離ｄ１５は、載置部２２１と測定電極２３１６との間の距離ｄ１６より小さい。
【００２０】
ウェル２１１と同様に、ウェル２１２は、ウェル２１２内において載置部２２２の周囲に設けられた６つの測定電極２３２１、２３２２、２３２３、２３２４、２３２５、２３２６を有する。載置部２２２と測定電極２３２１、２３２２、２３２３、２３２４、２３２５、２３２６とはそれぞれ距離ｄ２１、ｄ２２、ｄ２３、ｄ２４、ｄ２５、ｄ２６だけ離れている。載置部２２２と測定電極２３２１との間の距離ｄ２１は、載置部２２２と測定電極２３２２との間の距離ｄ２２より小さい。距離ｄ２２は、載置部２２２と測定電極２３２３との間の距離ｄ２３より小さい。距離ｄ２３は、載置部２２２と測定電極２３２４との間の距離ｄ２４より小さい。距離ｄ２４は、載置部２２２と測定電極２３２５との間の距離ｄ２５より小さい。距離ｄ２５は、載置部２２２と測定電極２３２６との間の距離ｄ２６より小さい。
【００２１】
なお、一つのウェル２１内に設けられた複数の測定電極２３は１つの測定電極群を構成する。ウェル２１１内において載置部２２１の周囲に設けられた測定電極２３１１、２３１２、２３１３、２３１４、２３１５、２３１６は測定電極群２３１を構成する。ウェル２１２内において載置部２２２の周囲に設けられた測定電極２３２１、２３２２、２３２３、２３２４、２３２５、２３２６は測定電極群２３２を構成する。
【００２２】
このように、複数のウェル２１のそれぞれにおいて、複数の測定電極２３は、載置部２２との間の互いに異なる距離の位置にそれぞれ配置される。載置部２２からの距離が異なる複数の測定電極２３を用いることにより、電気化学測定プレート２０は、生体試料からの距離に応じた電流値を測定することができる。
【００２３】
ウェル２１１での距離ｄ１１とウェル２１２での距離ｄ２１とは等しい。ウェル２１１での距離ｄ１２とウェル２１２での距離ｄ２２とは等しい。ウェル２１１での距離ｄ１３とウェル２１２での距離ｄ２３とは等しい。ウェル２１１での距離ｄ１４とウェル２１２での距離ｄ２４とは等しい。ウェル２１１での距離ｄ１５とウェル２１２での距離ｄ２５とは等しい。ウェル２１１での距離ｄ１６とウェル２１２での距離ｄ２６とは等しい。
【００２４】
このように、ウェル２１１内の複数の測定電極２３は、ウェル２１２に設けられた測定電極２３と載置部２２２との距離と等しい距離の位置に設けられている。複数のウェル２１において、測定電極２３は、同様の位置関係を有する。
【００２５】
ウェル２４は、ウェル２４内に設けられた対極２６と、ウェル２４内に設けられた参照電極２７とを有する。ウェル２４は、載置部２２および測定電極２３を有していなくてもよい。
【００２６】
図３Ｂは実施の形態における他の電気化学測定プレート２０ａの上面図である。図３Ｂにおいて、図３Ａに示す電気化学測定プレート２０と同じ部分には同じ参照番号を付す。電気化学測定プレート２０ａは、図３Ａに示す電気化学測定プレート２０の対極２６と参照電極２７の代わりに、ウェル２１、２４の外部の貯留部２９の底面２９ａに配置された対極２６ａと参照電極２７ａとを備える。電気化学測定プレート２０ａには、図３Ａに示す電気化学測定プレート２０の対極２６と参照電極２７が設けられたウェル２４の代わりに、複数の測定電極２３が設けられている載置部を有するウェル２１が設けられている。貯留部２９に測定液を収容することで、対極２６ａと参照電極２７ａとは測定液に接触する。
【００２７】
図４は電気化学測定装置５０の回路図である。
【００２８】
電気化学測定装置５０は、接続部５１と計測部５２と切替部５３と制御部５４とを有する。
【００２９】
接続部５１には電気化学測定プレート２０が設置される。電気化学測定プレート２０は、測定電極２３、対極２６および参照電極２７と配線２８を介して接続される取り出し電極部２５を有する。接続部５１には電気化学測定プレート２０の取り出し電極部２５を介して測定電極２３、対極２６および参照電極２７にそれぞれ接続される接続端子５１ａが設けられている。
【００３０】
計測部５２は、複数の計測回路５５を有する。具体的には、計測部５２には、電気化学測定プレート２０の１つのウェル２１に設けられる測定電極２３と同じ数の計測回路５５が設けられている。例えば、１つのウェル２１において載置部２２の周囲にＮ個の測定電極が設けられる場合、電気化学測定装置５０は、Ｎ個の計測回路５５を有する。ここで、数Ｎは２以上の整数である。図４に示す電気化学測定システム１０において、数Ｎは６であり、計測部５２は６つの計測回路５５（５５１、５５２、５５３、５５４、５５５、５５６）を有する。
【００３１】
計測回路５５は、例えば、電流値を測定するオペアンプである。計測回路５５は、測定電極２３と対極２６との間に流れる電流値を測定する。
【００３２】
切替部５３は、計測回路５５に接続される測定電極２３を切り替える。切替部５３は、電気化学測定装置５０の複数の計測回路５５と同じ数の切替ユニット５６を有する。例えば、Ｎ個の計測回路５５を有する電気化学測定装置５０の場合、切替部５３はＮ個の切替ユニット５６を有する。図４において、切替部５３は、６つの切替ユニット５６１、５６２、５６３、５６４、５６５、５６６）を有する。
【００３３】
切替ユニット５６は、複数のスイッチ素子５７で構成される。切替ユニット５６は、電気化学測定プレート２０において、試料の測定に用いられるウェル２１の数と同じ数のスイッチ素子５７を有する。
【００３４】
例えば、電気化学測定プレート２０に試料が配置されるＭ個のウェル２１が設けられる場合、１つの切替ユニット５６は、Ｍ個のスイッチ素子５７を有する。図４に示す電気化学測定システムにおいて、Ｍは５である。例えば、切替ユニット５６１は、５つのスイッチ素子５７１、５７２、５７３、５７４、５７５を有する。
【００３５】
スイッチ素子５７は、機械式のスイッチでも電磁式のスイッチであってもよい。
【００３６】
１つの計測回路５５は１つの切替ユニット５６に接続されている。そして、１つの切替ユニット５６に設けられる複数のスイッチ素子５７には、接続部５１および取り出し電極部２５を介して電気化学測定プレート２０に設けられる複数の測定電極２３がそれぞれ接続されている。１つの切替ユニット５６の複数のスイッチ素子５７には、電気化学測定プレート２０の異なるウェル２１に設けられる測定電極２３がそれぞれ接続される。
【００３７】
例えば、切替ユニット５６１は計測回路５５１に接続される。切替ユニット５６１において、スイッチ素子５７１はウェル２１１の測定電極２３１１に接続される。スイッチ素子５７２はウェル２１２の測定電極２３２１に接続される。同様に、スイッチ素子５７３、５７４、５７５は、それぞれウェル２１３、２１４、２１５の測定電極２３に接続される。
【００３８】
このように、１つのウェル２１に設けられる測定電極２３は、１つの切替ユニット５６の複数のスイッチ素子５７に接続されない。図４に示す切替部５３において、複数のスイッチ素子５７のうち破線で囲まれた６つのスイッチング素子は、同じウェル２１内に設けられた測定電極２３１１、２３１２、２３１３、２３１４、２３１５、２３１６がそれぞれ接続されている。そして、制御部５４は、図４の破線で囲まれた６つのスイッチ素子５７が、同時にオンされ、また、同時にオフされるように切替部５３を制御する。切替部５３は、破線で囲まれたスイッチ素子５７を一群として、一群ごとにスイッチ素子のオンとオフを切り替える。
【００３９】
このような構成とすることにより、切替ユニット５６を切り替えることにより、電気化学測定プレート２０の測定電極２３において、複数のウェル２１を順次切り替えながら電気化学測定を行うことができる。また、切替部５３は、複数の切替ユニット５６においてスイッチ素子５７を同時に切替える。このとき、切替部５３は、複数の計測回路５５のそれぞれの計測回路５５で計測される電気化学測定プレート２０の測定電極２３が１つのウェルに設けられる測定電極２３となるようにスイッチ素子５７を切り替える。これにより、電気化学測定装置５０は、１つのウェル２１内に設けられる測定電極２３を同時に計測することができる。また、電気化学測定装置５０は、切替部５３の制御により、計測回路５５で同時に測定される測定電極２３をウェル２１毎に切り替えながら測定することができる。
【００４０】
生体試料の電気化学測定において、測定電極２３に電位を印加して電流を流した状態にすると、測定される電流値が減少していく場合がある。したがって、１つのウェル２１において、異なるタイミングで異なる測定電極２３に流れる電流値を計測すると、基準となる電流値が変動し、測定値の解析が困難となる。また、変動した電流値を用いることにより測定の精度が低下する可能性がある。
【００４１】
本開示の実施の形態における電気化学測定システム１０は、同一ウェル２１内の電気化学測定を同じタイミングで行うことが出来るため、電流値を容易に解析することができ、かつ電気化学測定の精度を向上させることができる。さらに、ウェル２１毎に計測回路５５を切り替えながら電流値を測定することにより、計測回路５５の数を減らすことができ、電気化学測定装置５０を小型化することができる。
【００４２】
電気化学測定システム１０において、対極２６および参照電極２７は、制御部５４に接続される。対極２６と制御部５４との間の配線２８１および参照電極２７と制御部５４との間の配線２８２は切替部５３に接続されていない。そのため、対極２６および参照電極２７は測定において切り替えられない。対極２６および参照電極２７は、各ウェル２１での測定において共通して用いられる。
【００４３】
１つの切替ユニット５６には、それぞれのウェル２１の載置部２２から等しい距離の位置にある測定電極２３が接続されていることが好ましい。
【００４４】
例えば、切替ユニット５６１には、ウェル２１１の測定電極２３１１とウェル２１２の測定電極２３２１が接続される。ウェル２１３〜２１５においても、それぞれの載置部２２から距離ｄ１だけ離れた位置に配置された測定電極２３が切替ユニット５６１に接続される。
【００４５】
同様に、その他の切替ユニット５６２〜５６６においても、それぞれのウェル２１において載置部２２から同じ距離だけ離れて位置する測定電極２３が、１つの切替ユニット５６に接続される。
【００４６】
これにより、生体試料から等しい距離だけ離れた位置にある測定電極２３における電気化学測定を１つの計測回路５５で行うことができ、計測回路５５毎の測定バラつきを低減することができる。そのため、生体試料に起因する電流値の変化を正確に測定することができる。
【００４７】
制御部５４は、切替部５３のスイッチ素子５７の切り替え動作および測定電極２３と対極２６との間に印加される電位の大きさや、電位を印加するタイミング等を制御する。計測回路５５は、測定電極２３と対極２６との間に印加した電位により計測回路５５に流れる電流値を測定する。制御部５４がスイッチ素子５７の切替を制御することで、計測回路５５は、特定の測定電極２３に接続される。これにより、計測回路５５は、特定の測定電極２３に流れる電流値を測定することができる。
【００４８】
次に、電気化学測定システム１０における電気化学測定方法について説明する。図５と図６は電気化学測定方法を示すフロー図である。
【００４９】
電気化学測定プレート２０を図１に示すように電気化学測定装置５０にセットする。その後、電気化学測定プレート２０のウェル２１内に測定電極２３と対極２６と参照電極２７とに接触するように測定液１００１を注入する（ステップＳ０１）。
【００５０】
次に、測定電極２３を安定化させる（ステップＳ０１５）。具体的には、各ウェル２１の測定電極２３に所定の電位Ｖを印加する。所定の電位Ｖは、例えば、生体試料の測定時の測定電位Ｖｍである。
【００５１】
その後、各ウェル２１において、測定電極２３のそれぞれと対極２６との間に測定電位Ｖｍを印加し、測定電極２３を流れる電流値Ｉ１を計測する（ステップＳ０２）。切替部５３により計測回路５５に接続される測定電極２３をウェル２１毎に切り替えながら、１つずつ順にウェル２１１〜ウェル２１５において計測回路５５は測定電極２３の電流値Ｉ１を測定する。
【００５２】
図６はステップＳ０２において計測回路５５が複数のウェル２１において電流値Ｉ１を計測する際の切替部５３の動作を示す。図７は電気化学測定システム１０の動作における測定電極２３に印加される電位Ｖを示す。図７において、縦軸は測定電極２３に印加される電位Ｖを示し、横軸は時間を示す。
【００５３】
図７に示すように、電気化学測定システム１０では、電気化学測定装置５０は、測定電位Ｖｍと非測定電位Ｖｎを一定の間隔で交互に測定電極２３に印加する。つまり、測定電極２３に印加される電位Ｖは測定電位Ｖｍと非測定電位Ｖｎを一定の間隔で交互に繰り返すパルス波形である。測定電位Ｖｍは、生体試料の電気化学測定において、測定電極２３に流れる電流値を計測する際に印加される電位である。非測定電位Ｖｎは、電気化学測定プレート２０が電気化学測定装置５０に接続された状態において、測定電極２３に電流が流れないように設定されている。
【００５４】
期間Ｐ１において、計測回路５５は切替部５３を介してウェル２１１のＮ個の測定電極２３に接続されている。制御部５４は、測定電位Ｖｍをウェル２１１のＮ個の測定電極２３に印加する。計測回路５５は、ウェル２１１のＮ個の測定電極２３にそれぞれ流れる電流値Ｉ１を測定する（ステップＳ０２１）。
【００５５】
期間Ｐ１に続く期間Ｐ１５において、制御部５４はウェル２１１のＮ個の測定電極２３に非測定電位Ｖｎを印加する。切替部５３は、ウェル２１１のＮ個の測定電極２３に非測定電位Ｖｎが印加された状態で、計測回路５５に接続される測定電極２３をウェル２１１の測定電極２３からウェル２１２の測定電極２３に切り替える（ステップＳ０２２）。すなわち、切替部５３は、ウェル２１１のＮ個の測定電極２３に非測定電位Ｖｎが印加された状態で、計測回路５５をウェル２１１の測定電極２３から断ってウェル２１２の測定電極２３に接続する。
【００５６】
期間Ｐ１５に続く期間Ｐ２において、制御部５４は測定電位Ｖｍをウェル２１３の測定電極２３に印加する。計測回路５５は、ウェル２１３の測定電極２３に流れる電流値Ｉ１を測定する（ステップＳ０２３）。
【００５７】
期間Ｐ２に続く期間Ｐ２５において、制御部５４はウェル２１２のＮ個の測定電極２３に非測定電位Ｖｎを印加する。切替部５３は、ウェル２１２のＮ個の測定電極２３に非測定電位Ｖｎが印加された状態で、計測回路５５に接続される測定電極２３をウェル２１２の測定電極２３からウェル２１３の測定電極２３に切り替える。すなわち、切替部５３は、ウェル２１２のＮ個の測定電極２３に非測定電位Ｖｎが印加された状態で、計測回路５５をウェル２１２の測定電極２３から断ってウェル２１３の測定電極２３に接続する（ステップＳ０２４）。
【００５８】
期間Ｐ２５に続く期間Ｐ３において、制御部５４は測定電位Ｖｍをウェル２１３の測定電極２３に印加する。計測回路５５は、ウェル２１３の測定電極２３に流れる電流値Ｉ１を測定する（ステップＳ０２５）。
【００５９】
期間Ｐ３に続く期間Ｐ３５において、制御部５４はウェル２１３のＮ個の測定電極２３に非測定電位Ｖｎを印加する。切替部５３は、ウェル２１３のＮ個の測定電極２３に非測定電位Ｖｎが印加された状態で、計測回路５５に接続される測定電極２３をウェル２１３の測定電極２３からウェル２１４の測定電極２３に切り替える。すなわち、切替部５３は、ウェル２１３のＮ個の測定電極２３に非測定電位Ｖｎが印加された状態で、計測回路５５をウェル２１３の測定電極２３から断ってウェル２１４の測定電極２３に接続する。
【００６０】
期間Ｐ３５に続く期間Ｐ４において、制御部５４は測定電位Ｖｍをウェル２１４の測定電極２３に印加する。計測回路５５は、ウェル２１４の測定電極２３に流れる電流値Ｉ１を測定する。
【００６１】
期間Ｐ４に続く期間Ｐ４５において、制御部５４はウェル２１４のＮ個の測定電極２３に非測定電位Ｖｎを印加する。切替部５３は、ウェル２１４のＮ個の測定電極２３に非測定電位Ｖｎが印加された状態で、計測回路５５に接続される測定電極２３をウェル２１４の測定電極２３からウェル２１５の測定電極２３に切り替える。すなわち、切替部５３は、ウェル２１４のＮ個の測定電極２３に非測定電位Ｖｎが印加された状態で、計測回路５５をウェル２１４の測定電極２３から断ってウェル２１５の測定電極２３に接続する。
【００６２】
期間Ｐ４５に続く期間Ｐ５において、制御部５４は測定電位Ｖｍをウェル２１５の測定電極２３に印加する。計測回路５５は、ウェル２１５の測定電極２３に流れる電流値Ｉ１を測定する（ステップＳ０２１０）。
【００６３】
このようにして、電気化学測定装置５０は、ウェル２１１からウェル２１５までを順次切替ながら、各ウェルの測定電極２３に流れる電流値Ｉ１を計測する。
【００６４】
実施の形態では、期間Ｐ５に続く期間Ｐ５５において、制御部５４はウェル２１５のＮ個の測定電極２３に非測定電位Ｖｎを印加する。切替部５３は、ウェル２１５のＮ個の測定電極２３に非測定電位Ｖｎが印加された状態で、計測回路５５に接続される測定電極２３をウェル２１５の測定電極２３からウェル２１１の測定電極２３に切り替える（ステップＳ０２１１）。すなわち、切替部５３は、ウェル２１５のＮ個の測定電極２３に非測定電位Ｖｎが印加された状態で、計測回路５５をウェル２１５の測定電極２３から断ってウェル２１１の測定電極２３に接続する。
【００６５】
期間Ｐ５５に続く期間Ｐ１において、制御部５４は測定電位Ｖｍをウェル２１１の測定電極２３に印加する。計測回路５５は、ウェル２１１の測定電極２３に流れる電流値Ｉ１を測定する（ステップＳ０２１）。図７に示すように、制御部５４は、期間Ｐ１〜Ｐ５での電流値Ｉ１の測定を複数回繰り返し行う。
【００６６】
上記のように、電流値Ｉ１の測定において、非測定電位Ｖｎを印加する間に切替ユニット５６でスイッチ素子５７を切り替えることが好ましい。これにより、スイッチ素子５７の切替により生じる電流ノイズを低減することができ、正確に電流値Ｉ１を測定することができる。
【００６７】
図８は電気化学測定システム１０の他の動作における測定電極２３に印加される電位Ｖを示す。図８において、縦軸は測定電極２３に印加される電位Ｖを示し、横軸は時間を示す。図７に示す動作において、制御部５４は期間Ｐ１〜Ｐ５において、測定電位Ｖｍと非測定電位Ｖｎを一定の間隔で交互に繰り返すパルス波形を有する電位Ｖを測定電極２３に印加する。この場合、１つのウェル２１内の測定中において、非測定電位Ｖｎが印加されていても切替部５３は、切り替え動作を行わない。そして、１つのウェル２１内の測定が終わった後の非測定電位Ｖｎが印加されるタイミングで、切替部５３は切り替え動作を行う。
【００６８】
次に、図５に示すように、電気化学測定プレート２０のそれぞれのウェル２１の載置部２２に１つの生体試料を導入して配置する（ステップＳ０３）。生体試料の導入は、測定電位Ｖｍを印加せずに行うことが好ましい。より好ましくは、電気化学測定装置５０に電流が流れない電位、つまり、非測定電位Ｖｎを印加した状態で、生体試料を導入してもよい。
【００６９】
生体試料が導入された状態で、各ウェル２１において、測定電位Ｖｍを印加し、測定電極２３を流れる電流値Ｉ２を測定する（ステップＳ０４）。ステップＳ０４において、ステップＳ０２（ステップＳ０２１〜Ｓ０２１０）での電流値Ｉ１の測定と同様に、切替部５３により計測回路５５に接続される測定電極２３をウェル２１毎に切替えながら、計測回路５５はウェル２１１〜２１５の１つずつに順に測定電極２３に流れる電流値Ｉ２を測定する。
【００７０】
ステップＳ０４において電流値Ｉ２の測定した後、生体試料をウェル２１から取り出す（ステップＳ０５）。生体試料を取り出す際は、測定電位Ｖｍを印加しないことが好ましい。より好ましくは、非測定電位Ｖｎを印加した状態で、生体試料を取り出してもよい。
【００７１】
ステップＳ０５で生体試料をウェル２１から取り出した後、ステップＳ０２（ステップＳ０２１〜Ｓ０２１０）と同様に、各ウェル２１において測定電位Ｖｍを印加し、測定電極２３に流れる電流値Ｉ３を測定する（ステップＳ０６）。電流値Ｉ１の測定と同様に、切替部５３により計測回路５５に接続される測定電極２３をウェル２１毎に切替ながら、計測回路５５はウェル２１１〜ウェル２１５の１つずつに順に電流値Ｉ３を測定する。
【００７２】
電流値Ｉ１、Ｉ２、Ｉ３を用いて生体試料の状態を判断する（ステップＳ０７）。例えば、胚の状態を調べる場合、電流値Ｉ１、Ｉ２、Ｉ３を用いて、胚の周囲の溶存酸素濃度を算出する。胚の周囲の溶存酸素濃度を求めることにより、胚の活性状態を知ることができる。
【００７３】
生体試料の電気化学測定において、測定される電流値は時間の経過と共に変動する場合がある。したがって、一つの生体試料に対応する複数の測定電極を切り替えて測定する場合、測定のタイミングにより基準の電流値が異なるため、生体試料の状態を正確に測定することが難しい。そのため一つの生体試料に対応する複数の測定電極での測定は、同じタイミングで測定されることが好ましい。実施の形態における電気化学測定システム１０のように、同じタイミングで電流値を測定することにより、生体試料の正確な状態を測定することができる。
【００７４】
なお、複数のウェル２１の全てが測定に用いられない場合、すなわち複数のウェル２１が生体試料の導入されないウェルを含む場合、切替部５３は、生体試料が導入されて測定に用いられるウェル２１のみで計測回路５５と測定電極２３を切り替えてもよい。具体的には、例えば、電気化学測定プレート２０の３つのウェル２１１、２１３、２１５に生体試料を導入する場合、切替部５３の切替ユニット５６１は、スイッチ素子５７１、５７３、５７５のオンとオフを切替え、スイッチ素子５７２、５７４はオフに維持する。切替ユニット５６２〜５６６においても、切替ユニット５６１と同様にスイッチ素子を制御する。
【００７５】
本開示に係る電気化学測定方法は、１つのウェル２１に設けられる測定電極２３と同じ数の計測回路５５を用いることにより、同一のウェル２１内に設けられる測定電極２３に流れる電流を同じタイミングで測定することができる。したがって、生体試料の電気化学測定を高精度に行うことができる。
【００７６】
上述のように、電気化学測定システム１０は、生体試料１０２１、１０２２が配置される電気化学測定プレート２０と、電気化学測定プレート２０に接続された電気化学測定装置５０とを備える。電気化学測定プレート２０は、ウェル２１１、２１２と、ウェル２１１内に設けられた測定電極群２３１と、ウェル２１２内に設けられた測定電極群２３２とを有する。ウェル２１１には、生体試料１０２１が配置される載置部２２１が設けられている。測定電極群２３１は、載置部２２１の周囲に設けられたＮ個（Ｎは２以上の整数）の測定電極２３を含む。ウェル２１２には、生体試料１０２２が配置される載置部２２２が設けられている。測定電極群２３２は、載置部２２２の周囲に設けられたＮ個の測定電極２３を含む。電気化学測定装置５０は、Ｎ個の計測回路５５と、Ｎ個の計測回路５５と測定電極群２３１、２３２に接続された切替部５３と、測定電極２３に印加される電位を制御する制御部５４とを有する。切替部５３は、Ｎ個の計測回路５５を測定電極群２３１と測定電極群２３２とに選択的に切り替えて接続する。
【００７７】
Ｎ個の測定電極２３のうちの或る測定電極２３１１と載置部２２１との間の距離ｄ１１は、Ｎ個の測定電極２３のうちの他の測定電極２３１２と載置部２２１との間の距離ｄ１２よりも小さくてもよい。Ｎ個の測定電極２３のうちの或る測定電極２３２１と載置部２２２との間の第三の距離ｄ２１は、Ｎ個の測定電極２３のうちの他の測定電極２３２２と載置部２２２との間の第四の距離ｄ２２よりも小さくてもよい。距離ｄ１１は第三の距離ｄ２１と等しくてもよい。距離ｄ１２は第四の距離ｄ２２と等しくてもよい。切替部５３は、切替ユニット５６１、５６２を有する。切替ユニット５６１は、Ｎ個の計測回路５５のうちの計測回路５５１を、或る測定電極２３１１と或る測定電極２３２１とに選択的に切り替えて接続する。切替ユニット５６２は、Ｎ個の計測回路５５のうちの計測回路５５２を、他の測定電極２３１２と他の測定電極２３２２とに選択的に切り替えて接続する。
【００７８】
電気化学測定プレート２０は対極２６をさらに有していてもよい。この場合、電気化学測定装置５０は対極２６と制御部５４との間に接続されてかつ切替部５３に接続されていない配線２８１をさらに有してもよい。
【００７９】
電気化学測定装置５０は、Ｎ個（Ｎは、２以上の整数）の接続端子５１ａを含む電極群５１ｂと、Ｎ個の接続端子５１ａを含む電極群５１ｃと、Ｎ個の計測回路５５と、Ｎ個の計測回路５５を電極群５１ｂと電極群５１ｃとに選択的に切り換えて接続する切替部５３と、制御部５４とを備える。Ｎ個の接続端子５１ａは電気化学測定プレート２０のＮ個の測定電極２３にそれぞれ接続されるように構成されている。Ｎ個の接続端子５１ａは電気化学測定プレート２０のＮ個の測定電極２３にそれぞれ接続されるように構成されている。
【００８０】
電気化学測定装置５０は、接続端子５１ａと制御部５４とを接続しかつ切替部５３に接続されない配線２８１をさらに備えてもよい。
【００８１】
（変形例１）
本実施の形態における電気化学測定装置の変形例１について図面を参照しながら説明する。
【００８２】
図９Ａは実施の形態におけるさらに他の電気化学測定プレート８０の上面図である。図９Ｂは実施の形態における他の電気化学測定システム１０ａの回路図であり、主に電気化学測定装置７０の回路を示す。図９Ａと図９Ｂにおいて、図１から図４に示す電気化学測定システム１０と同じ部分には同じ参照番号を付す。
【００８３】
電気化学測定プレート８０は、図１から図４に示す電気化学測定プレート２０のウェル２４に設けられた対極２６の代わりに、複数のウェル２１内にそれぞれ設けられた複数の対極２６ｂを備える。実施の形態では、対極２６ｂはウェル２１の側壁面２１ｂに設けられている。複数の対極２６ｂは複数のウェル２１の複数の載置部の周囲にそれぞれ設けられている。
【００８４】
電気化学測定装置７０の切替部５３は複数のスイッチ素子５７を有する切替ユニット５６７を備える。複数のウェル２１内にそれぞれ設けられる複数の対極２６ｂは、切替部５３の切替ユニット５６７の複数のスイッチ素子５７にそれぞれ接続されている。切替ユニット５６７は、他の切替ユニット５６１〜５６５と同じタイミングで、計測回路５５に接続される測定電極２３と同じウェル２１に設けられている対極２６ｂを制御部５４と接続するように対極２６ｂを切り替える。
【００８５】
対極２６ｂは図３Ａに示す参照電極２７の機能を有している。なお、参照電極を対極２６ｂと別に設けてもよい。図９Ｃは実施の形態におけるさらに他の電気化学測定プレート８０ａの上面図である。図９Ｃにおいて、図９Ａに示す電気化学測定プレート８０と同じ部分には同じ参照番号を付す。電気化学測定プレート８０ａは、図９Ａに示す電気化学測定プレート８０の複数のウェル２１内にそれぞれ設けられた複数の参照電極２７ｂを備える。実施の形態では、参照電極２７ｂはウェル２１の側壁面２１ｂに設けられている。この場合、電気化学測定装置５０では、切替部５３は、複数のウェル２１にそれぞれ設けられた複数の参照電極２７ｂにそれぞれ接続された複数のスイッチ素子９７を有する切替ユニットをさらに備える。
【００８６】
電気化学測定装置７０の電極群５１ｂは、載置部２２１の周囲に設けられた対極２６ｂに接続される接続端子５１ａをさらに含む。電極群５１ｃは、載置部２２２の周囲に設けられた対極２６ｂに接続される接続端子５１ａをさらに含む。切替部５３は、制御部５４を複数の対極２６ｂにそれぞれ接続される複数の接続端子５１ａに選択的に切り替えて接続する切替ユニット５６７をさらに有する。
【００８７】
（変形例２）
本実施の形態における電気化学測定装置の変形例２について図面を参照しながら説明する。
【００８８】
図１０は実施の形態におけるさらに他の電気化学測定システム１０ｂの回路図であり、主に電気化学測定装置９０の回路を示す。図１０において、図１から図４に示す電気化学測定システム１０と同じ部分には同じ参照番号を付す。
【００８９】
電気化学測定装置９０は、図４に示す電気化学測定装置５０の切替部５３の代わりに切替部９３を備える。切替部９３は、電気化学測定プレート２０の複数のウェル２１の数に応じた数の切替ユニット９６を備える。１つの切替ユニット９６には、１つのウェル２１に設けられている複数の測定電極２３が接続されている。つまり、切替ユニット９６は、１つのウェル２１内に設けられる測定電極２３の数と同じ数のスイッチ素子９７を有する。
【００９０】
図１０に示す電気化学測定プレート２０は、各ウェル２１内の載置部２２の周囲に設けられた５つの測定電極２３を有する。ウェル２１１は、５つの測定電極２３１１、２３１２、２３１３、２３１４、２３１５を有する。電気化学測定装置９０は、５個の計測回路５５と５個の切替ユニット９６と、５個のスイッチ素子９７とを含む。
【００９１】
１つの計測回路５５は、１つの切替ユニット９６に接続される。
【００９２】
図１０に示す切替部９３において、切替ユニット９６１は、スイッチ素子９７１、９７２、９７３、９７４、９７５を有する。切替ユニット９６１は、測定電極２３１１と接続される。切替ユニット９６２は、測定電極２３１２と接続される。切替ユニット９６３は、測定電極２３１３と接続される。切替ユニット９６４は、測定電極２３１４と接続される。切替ユニット９６５は、測定電極２３１５と接続される。
【００９３】
切替部９３において、破線で囲まれた５つのスイッチ素子９７は、それぞれのウェル２１内において、載置部２２からの距離が等しい位置に設けられた測定電極２３に接続されている。そして、制御部５４は、図１０の破線で囲まれた５つのスイッチング素子を同時にオンし、同時にオフするように切替部９３を制御する。切替部９３は、破線で囲まれたスイッチ素子９７を一群として、群ごとにスイッチ素子のオンとオフを切り替える。
【００９４】
これにより、電気化学測定装置９０は、生体試料から同じ距離に位置する測定電極２３において、異なるウェル２１内の電気化学測定を同時に行うことができる。そのため、電気化学測定装置９０は、生体試料の距離に依存する電気化学的な変化を、精度良く検出することができる。
【００９５】
実施の形態における電気化学測定システム１０、１０ａ、１０ｂ、電気化学測定装置５０、９０および電気化学測定方法は、胚の呼吸活性の測定を用いて説明したが、これに限定されるものではない。例えば、モデル細胞による新薬候補化合物の薬理テストなど、生体試料等の検査・分析に広く適用することができる。
【００９６】
また、電流値の測定において、測定電極に印加される電位は、パルス波形の電位に限定されない。たとえば、一定値の測定電位が測定電極に印加された状態で、切替部を動作させることにより、各ウェル毎の電気化学測定を行ってもよい。
【００９７】
なお、制御部は、生体試料が導入されていないウェル２１の測定電極２３が接続される切替ユニット５６を切替えなくてもよい。
【００９８】
以上、一つまたは複数の態様における電気化学測定システムについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【００９９】
本開示にかかる電気化学測定システムは、胚などの生体試料の電気化学測定において有用である。
【符号の説明】
【０１００】
１０    電気化学測定システム
２０，８０    電気化学測定プレート
２１，２４    ウェル
２２    載置部
２３    測定電極
２５    取り出し電極部
２６，２６ａ，２６ｂ    対極
２７，２７ａ，２７ｂ    参照電極
２８    配線
２９    貯留部
５０，７０，９０    電気化学測定装置
５１    接続部
５１ａ    接続端子
５１ｂ，５１ｃ    電極群
５２    計測部
５３，９３    切替部
５４    制御部
５５    計測回路
５６，９６    切替ユニット
５７，９７    スイッチ素子
１００１    測定液
１０２    生体試料
１０２１    生体試料（第一の生体試料）
１０２２    生体試料（第二の生体試料）
【図１】
0006492294.tif 000002
【図２】
0006492294.tif 000003
【図３Ａ】
0006492294.tif 000004
【図３Ｂ】
0006492294.tif 000005
【図４】
0006492294.tif 000006
【図５】
0006492294.tif 000007
【図６】
0006492294.tif 000008
【図７】
0006492294.tif 000009
【図８】
0006492294.tif 000010
【図９Ａ】
0006492294.tif 000011
【図９Ｂ】
0006492294.tif 000012
【図９Ｃ】
0006492294.tif 000013
【図１０】
0006492294.tif 000014